(57)【特許請求の範囲】
【請求項１】
複数の微細孔が形成された霧化部を有する振動板と、
前記霧化部に液体を供給する供給手段と、
前記振動板を膜振動させる振動発生手段とを備え、
前記振動板の膜振動に基づき前記霧化部に供給された液体を霧化してミストを放出するミスト発生装置であって、
前記振動板は、前記供給手段から液体が供給される液体供給面と、前記液体供給面とは反対側の面に形成されて前記ミストが放出されるミスト放出面と、を備え、
前記振動発生手段は、前記振動板に設けられて制御回路により制御される入力電力に応じた振動を発生する圧電振動子から構成されており、
前記制御回路は、前記圧電振動子に第１の入力電力を供給して前記ミスト放出面から前記ミストを放出する通常モードと、前記液体供給面から前記複数の微細孔を介して前記ミスト放出面に滲み出した前記液体により前記ミスト放出面に形成された液膜を、前記圧電振動子に前記第１の入力電力よりも高い第２の入力電力を供給して前記振動板を振動させて除去する液膜除去モードと、を備えること、を特徴とするミスト発生装置。
【請求項２】
請求項１に記載のミスト発生装置において、
前記制御回路は、前記液膜除去モードにおいて、前記圧電振動子に供給する入力電力を前記第２の入力電力まで増大させた後に０とするサイクルを繰り返すように前記入力電力を制御すること、を特徴とするミスト発生装置。
【請求項３】
請求項１又は請求項２に記載のミスト発生装置において、
前記制御回路は、前記液膜除去モードにおいて、前記通常モードで前記振動板を前記膜振動させる第１の振動に対し、その第１の振動の周波数より高い周波数となる第２の振動を重畳するように制御すること、を特徴とするミスト発生装置。
【請求項４】
請求項１〜請求項３の何れか一項に記載のミスト発生装置において、
前記液膜除去モードは、始動時に行われること、を特徴とするミスト発生装置。
【請求項５】
請求項１〜請求項４の何れか一項に記載のミスト発生装置を備えた美容装置。
【発明の詳細な説明】
【技術分野】
【０００１】
本発明は、ミスト発生装置及び美容装置に関するものである。
【背景技術】
【０００２】
従来、複数の微細孔が形成された振動板を膜振動させることにより、その各微細孔に供給される液体を霧化してミストを発生させるミスト発生装置がある。
例えば、特許文献１には、円環板状に形成された圧電振動子を振動発生手段として、その孔部を覆うように振動板を貼り合わせる構成が開示されている。すなわち、このような構成を採用することで、効率良く、振動板を膜振動させることができる。そして、その圧電振動子の孔部を覆う部分に複数の微細孔を形成して霧化部とすることにより、高効率且つ安定的にミストを発生させることが可能となっている。
【先行技術文献】
【特許文献】
【０００３】
【特許文献１】特開平４−２０７８００号公報
【発明の概要】
【発明が解決しようとする課題】
【０００４】
しかしながら、このようなミスト発生装置では、そのミストの原料となる液体が各微細孔を介して振動板のミスト放出面側に滲み出すことがある。そして、その滲み出した液体が液膜を形成することで、ミストの放出が不安定化するおそれがある。
【０００５】
本発明は、上記課題を解決するためになされたものであって、その目的は、ミスト放出面に形成される液膜を除去して、より安定的にミストを放出することができるミスト発生装置及び美容装置を提供することにある。
【課題を解決するための手段】
【０００６】
上記問題点を解決するために、本発明のミスト発生装置は、複数の微細孔が形成された霧化部を有する振動板と、前記霧化部に液体を供給する供給手段と、前記振動板を膜振動させる振動発生手段とを備え、前記振動板の膜振動に基づき前記霧化部に供給された液体を霧化してミストを放出するミスト発生装置であって、前記振動板は、前記供給手段から液体が供給される液体供給面と、前記液体供給面とは反対側の面に形成されて前記ミストが放出されるミスト放出面と、を備え、前記振動発生手段は、前記振動板に設けられて制御回路により制御される入力電力に応じた振動を発生する圧電振動子から構成されており、前記制御回路は、前記圧電振動子に第１の入力電力を供給して前記ミスト放出面から前記ミストを放出する通常モードと、前記液体供給面から前記複数の微細孔を介して前記ミスト放出面に滲み出した前記液体により前記ミスト放出面に形成された液膜を、前記圧電振動子に前記第１の入力電力よりも高い第２の入力電力を供給して前記振動板を振動させて除去する液膜除去モードと、を備えること、を特徴とする。
【０００８】
上記構成のミスト発生装置においては、前記制御回路は、前記液膜除去モードにおいて、前記圧電振動子に供給する入力電力を前記第２の入力電力まで増大させた後に０とするサイクルを繰り返すように前記入力電力を制御するものであることが好ましい。
【００１０】
上記構成のミスト発生装置においては、前記制御回路は、前記液膜除去モードにおいて、前記通常モードで前記振動板を前記膜振動させる第１の振動に対し、その第１振動の周波数よりも高い周波数となる第２の振動を重畳するように制御するものであることが好ましい。
【００１２】
上記構成のミスト発生装置においては、前記液膜除去モードは、始動時に行われることが好ましい。
本発明の美容装置は、上記何れかに記載のミスト発生装置を備えることを特徴とする。
【発明の効果】
【００１３】
本発明によれば、ミスト放出面に形成される液膜を除去して、より安定的にミストを放出することが可能なミスト発生装置及び美容装置を提供することができる。
【図面の簡単な説明】
【００１４】
【図１】美容装置の斜視図。
【図２】ミスト発生装置の正面図。
【図３】ミスト発生装置の断面図。
【図４】微細孔の断面図。
【図５】ミスト発生装置の作用説明図。
【図６】ハウジング内におけるミスト発生装置の配置を模式的に示す断面図。
【図７】ミスト放出面に形成される液膜を示す説明図。
【図８】第１の実施形態における液膜除去モードの態様を示す波形図。
【図９】第２の実施形態における液膜除去モードの態様を示す波形図。
【図１０】第３の実施形態における液膜除去モードの態様を示す波形図。
【図１１】第４の実施形態におけるミスト発生装置の概略構成図。
【図１２】別例の液膜除去モードの態様を示す波形図。
【図１３】別例の液膜除去モードの態様を示す波形図。
【発明を実施するための形態】
【００１５】
［第１の実施形態］
以下、本発明をミスト発生装置が内蔵された携帯型の美容装置に具体化した第１の実施形態について説明する。
【００１６】
図１に示すように、本実施形態の美容装置１は、略円筒状に形成されたハウジング２を備えている。また、ハウジング２内には、美容液や水等の液体を霧化してミストを発生させるミスト発生装置３、及びその制御回路４が収容されている。そして、ハウジング２の周面２ａには、その発生させたミストをハウジング２の外部に放出する放出口５が形成されている。
【００１７】
具体的には、本実施形態のハウジング２は、一端側（同図中、下側の端部）に他の部分よりも大径に形成された把持部６を備えており、放出口５は、その他端側（同図中、上側の端部近傍）に形成されている。また、ハウジング２の周面２ａには、湾曲板状のカバー７が軸方向移動可能に嵌合されている。そして、本実施形態では、このカバー７を摺動させることにより、その放出口５を閉塞し又は外部に開放することが可能になっている。
【００１８】
さらに、このカバー７は、ミスト発生装置３のスイッチを兼ねており、ミスト発生装置３は、カバー７が放出口５を開放する位置に移動することにより作動する。そして、そのカバー７が放出口５を閉塞する方向に操作されることにより停止するようになっている。
【００１９】
すなわち、美容装置１の使用者は、把持部６を把持し、カバー７を操作することにより施術を行う。そして、放出口５から放出されるミストを顔等の施術部位に当てることにより、肌に潤いを与える等の美容効果が得られるようになっている。
【００２０】
図２及び図３に示すように、ミスト発生装置３は、複数の微細孔１０が形成された霧化部１１を有する振動板１２と、この振動板１２を膜振動させる振動発生手段としての圧電振動子１３とを備えている。
【００２１】
詳述すると、本実施形態の圧電振動子１３は、円環板状に形成されている。また、振動板１２は、円板状に形成されている。なお、振動板１２は、圧電振動子１３の外径よりも小さく且つ圧電振動子１３の孔部１４よりも大きな外径を有している。そして、振動板１２は、圧電振動子１３の孔部１４を覆うように、同圧電振動子１３に貼り合わされている。
【００２２】
具体的には、振動板１２は、その中心が一致するように圧電振動子１３の一面（供給側平面１３ｂ）に接着されている。なお、本実施形態では、両者の接触面形状は、圧電振動子１３の孔部１４を囲む円環状になっている。そして、各微細孔１０が形成された霧化部１１は、振動板１２における圧電振動子１３の孔部１４に対応する位置、詳しくは、振動板１２及び圧電振動子１３と中心が一致する円形状の範囲に設定されている。
【００２３】
図３及び図４に示すように、本実施形態の振動板１２は、その圧電振動子１３に貼り合わされた側の面（各図中、左側の面）がミストを放出するミスト放出面１２ａとなっている。そして、ミスト放出面１２ａとは反対側の面（各図中、右側の面）がミストの原料となる液体が供給される液体供給面１２ｂとなっている。
【００２４】
すなわち、各微細孔１０は、液体供給面１２ｂ側の開口径Ｄinよりもミスト放出面１２ａ側の開口径Ｄoutの方が小さくなるように形成されている。具体的には、各微細孔１０は、ミスト放出面１２ａ側から液体供給面１２ｂ側に向かって、その内径が指数曲線状に拡開するような断面形状を有している。そして、本実施形態の振動板１２は、これにより、その膜振動に基づいて、液体供給面１２ｂ側に供給される液体を霧化し、ミスト放出面１２ａ側から放出することが可能になっている。
【００２５】
図２及び図３に示すように、本実施形態の圧電振動子１３は、円環板状に形成された圧電体１５と、この圧電体１５の両面１５ａ，１５ｂにそれぞれ形成された一対の薄膜電極１６ａ，１６ｂとを備えてなる。また、これらの薄膜電極１６ａ，１６ｂには、それぞれ、リード線１７ａ，１７ｂが接続されている。なお、圧電体１５の一方の面１５ａには、他方の面１５ｂに設けられた薄膜電極１６ｂに連続する折り返し部１８が形成されており、リード線１７ｂは、この折り返し部１８において薄膜電極１６ｂに接続されている。そして、本実施形態の圧電振動子１３は、これらのリード線１７ａ，１７ｂを介して制御回路４（図１参照）から入力される電力に基づいて、振動板１２を膜振動させるような振動を発生する。
【００２６】
具体的には、図５に示すように、圧電振動子１３は、薄膜電極１６ａ，１６ｂ（図３参照）への電圧印加により生ずる圧電体１５の歪みに基づいて、径方向（同図中、上下方向）に拡縮する態様で振動する。そして、振動板１２は、圧電振動子１３の縮径時には、その液体供給面１２ｂ側（同図中、右側）が凸となる態様で湾曲し、圧電振動子１３の拡径時には、そのミスト放出面１２ａ側（同図中、左側）が凸となる態様で湾曲する。
【００２７】
本実施形態のミスト発生装置３は、この一連の動きが高速で繰り返されることにより生ずる振動板１２の膜振動（いわゆる超音波振動）に基づいて、その霧化部１１、詳しくは、各微細孔１０に供給された液体を霧化する。そして、その発生したミストＭをミスト放出面１２ａ側に放出する構成になっている。
【００２８】
さらに詳述すると、図６に示すように、本実施形態の美容装置１において、ハウジング２には、その内部空間と放出口５とを接続するノズル２０が設けられている。また、ノズル２０のハウジング内開口部２１には、シール部材及び保持部材としてのノズルパッキン２２が固定されている。そして、ミスト発生装置３は、その圧電振動子１３の一面（放出側平面１３ａ、ミスト放出面１２ａ側の面）が、このノズルパッキン２２に当接する態様で、ハウジング２内に収容されている。
【００２９】
具体的には、ノズルパッキン２２は、ハウジング内開口部２１の連通孔２３に対応する貫通孔２４を有しており、ミスト発生装置３は、その霧化部１１が貫通孔２４を介して連通孔２３に臨む位置に配置されている。また、ノズルパッキン２２におけるミスト発生装置３側の面（同図中、右側の面）には、その貫通孔２４の周縁を包囲するように円環状の突部２５が形成されている。そして、ノズルパッキン２２は、その突部２５が圧電振動子１３の放出側平面１３ａに密着することで、ノズル２０とミスト発生装置３との間、詳しくは、ハウジング内開口部２１の連通孔２３と圧電振動子１３の孔部１４との間を液密に接続する構成になっている。
【００３０】
一方、圧電振動子１３における放出側平面１３ａとは反対側の面（供給側平面１３ｂ、液体供給面１２ｂ側の面）には、タンクパッキン２７が取着されている。また、タンクパッキン２７には、振動板１２の液体供給面１２ｂに臨む位置に開口する略円筒状の接続部２８が形成されている。そして、この接続部２８には、供給手段としてのタンク２９が液密に取着されている。
【００３１】
すなわち、振動板１２の液体供給面１２ｂには、タンク２９内に貯留された液体Ｌが供給される。なお、本実施形態では、圧電振動子１３は、ノズルパッキン２２及びタンクパッキン２７とともに、ノズル２０のハウジング内開口部２１側に押し付けられる態様で、図示しない固定部材によりハウジング２に固定されている。そして、圧電振動子１３の供給側平面１３ｂ及び振動板１２の液体供給面１２ｂとタンクパッキン２７とが密着することにより、その液体供給面１２ｂとタンク２９とが液密に接続されるようになっている。
【００３２】
ここで、図２及び図６に示すように、本実施形態では、圧電振動子１３の放出側平面１３ａには、その孔部１４の周縁部に、薄膜電極１６ａの存在しない無電極部３０が形成されている。そして、ノズルパッキン２２（の突部２５）は、この無電極部３０に当接するようになっている。
【００３３】
すなわち、振動板１２の液体供給面１２ｂに液体Ｌが接触し続けることで、その液体Ｌが各微細孔１０を介してミスト放出面１２ａに滲み出すことがある。そして、その滲み出した液体Ｌが放出側平面１３ａの薄膜電極１６ａに付着することで、ショートやマイグレーション等の発生要因となるおそれがある。
【００３４】
しかしながら、上記のように、ノズルパッキン２２に接触する部分を無電極部３０とすることで、ミスト放出面１２ａに滲み出した液体Ｌが薄膜電極１６ａに付着することを防止することができる。そして、本実施形態の美容装置１では、これにより、高い信頼性を確保することが可能になっている。
【００３５】
（液膜除去モード）
次に、本実施形態のミスト発生装置に備えられた液膜除去モードついて説明する。
さらに、上記のように構成されたミスト発生装置３では、図７に示すように、そのミスト放出面１２ａ側に滲み出した液体Ｌが液膜ＬＦを形成することがある。そして、この液膜ＬＦの存在によってミストの放出が不安定化するおそれがある。
【００３６】
そこで、本実施形態のミスト発生装置３には、ミストの放出を目的として振動板１２に膜振動を生じさせる通常モード（図５参照）に加え、そのミスト放出面１２ａに形成された液膜ＬＦを除去すべく振動板１２を振動させる液膜除去モードが備えられている。
【００３７】
詳述すると、本実施形態では、液膜除去モードは、振動板１２の振動エネルギーを増大させることにより行われる。そして、その振動エネルギーは、圧電振動子１３に対する入力電力に基づいて制御されている。
【００３８】
具体的には、図８に示すように、制御回路４（図１参照）は、ミスト発生装置３の始動から所定時間、その圧電振動子１３に対する入力電力Ｗを通常モードにおける値Ｗ０よりも高い値Ｗ１にする。そして、本実施形態では、この入力電力Ｗの増大により振動板１２の振動エネルギーを増大させることで、そのミスト放出面１２ａに形成された液膜ＬＦを除去する構成になっている。
【００３９】
すなわち、本実施形態のミスト発生装置３において、液膜除去モードは、その始動とともに自動的に実行される。また、制御回路４は、液膜除去モードの実行後、その増大させた入力電力Ｗを液膜除去モードにおける値Ｗ１から通常モードにおける値Ｗ０まで徐々に低減する（移行モード）。そして、通常モードにおいては、その入力電力Ｗが一定（Ｗ０）となるように、圧電振動子１３に対する電力供給を実行する。
【００４０】
次に、本実施形態における液膜除去モードの作用について説明する。
圧電振動子１３は、その入力電力Ｗに応じた振動を発生する。したがって、圧電振動子１３に対する入力電力Ｗが増大することにより、振動板１２の振動エネルギーもまた増大する。そして、振動エネルギーは、振動板１２の振動振幅と正の相関（二乗に比例）を有している。
【００４１】
すなわち、振動エネルギーの増大により振動板１２を強く振動させることで、ミスト放出面１２ａに形成された液膜ＬＦを吹き飛ばすことができる。そして、その液膜ＬＦが除去された後に、通常モードに移行することで、より安定的にミストを放出することができる。
【００４２】
以上、本実施形態によれば、以下のような効果を得ることができる。
（１）ミスト発生装置３は、複数の微細孔１０が形成された霧化部１１を有する振動板１２と、この振動板１２を膜振動させる振動発生手段としての圧電振動子１３とを備える。そして、ミスト発生装置３は、ミスト放出面１２ａに形成された液膜ＬＦを除去すべく振動板１２を振動させる液膜除去モードを備える。
【００４３】
上記構成によれば、綿棒等を用いた拭き取り作業を行うことなく、容易且つ簡便に、ミスト放出面１２ａに形成された液膜ＬＦを除去することができる。そして、その液膜ＬＦが除去された後に、本来のミストの放出を目的とした制御モード（通常モード）に移行することで、より安定的にミストを放出することができる。特に、美容装置１では、多くの場合、その放出するミストが使用者の顔に当てられる。したがって、その放出するミストを安定させることで、化粧崩れの発生を予防する等、その使用感を向上させることができる。
【００４４】
（２）液膜除去モードは、振動板１２の振動エネルギーを増大させることにより行われる。すなわち、振動エネルギーは、振動板１２の振動振幅と正の相関を有する。したがって、振動エネルギーを増大させることにより、振動板１２をより強く振動させることができる。そして、これにより、そのミスト放出面１２ａに形成された液膜ＬＦを吹き飛ばすことができる。
【００４５】
（３）液膜除去モードは、圧電振動子１３に対する入力電力Ｗを増大させることにより行われる。すなわち、圧電振動子１３は、その入力電力Ｗに応じた振動を発生する。したがって、上記構成によれば、新たな部材を追加することなく、容易に振動板１２の振動エネルギーを増大させることができる。そして、これにより、そのミスト放出面１２ａに形成された液膜ＬＦを吹き飛ばすことができる。
【００４６】
（４）液膜除去モードは、始動時に行われる。すなわち、ミスト放出面１２ａへの滲み出しは、ミスト非発生状態における振動板１２と液体の接触時間が長いほど発生しやすくなる。そして、特に、携帯型の美容装置１では、その持ち運びの際に生ずる振動が、ミスト放出面１２ａへの液体の滲み出しを助長する。したがって、上記構成によれば、液膜ＬＦが形成されている可能性が最も高い状態にあるとき、自動的にその液膜ＬＦが除去される。そして、これにより利便性を向上させることで、より一層、その使用感を向上させることができる。
【００４７】
（５）液膜除去モードの終了後、入力電力Ｗを徐々に低減する移行モードを備える。これにより、違和感の生じさせることなく、スムーズに通常モードに移行することができる。
【００４８】
［第２の実施形態］
以下、本発明を具体化した第２の実施形態について説明する。なお、第１の実施形態と同一の構成については、同一の符号を付して、その説明を省略する。
【００４９】
図９に示すように、本実施形態では、液膜除去モードは、入力電力Ｗの急峻な増減を繰り返すことにより行われる。
具体的には、制御回路４は、ミスト発生装置３の始動とともに、その圧電振動子１３に対する入力電力Ｗをピーク値Ｗ２まで急増大させた後、その値を「０」にする。なお、本実施形態では、このピーク値Ｗ２は、通常モードにおける値Ｗ０よりも高い値となっている。そして、液膜除去モードに対応する所定時間、この入力電力Ｗの急峻な増減を繰り返す。
【００５０】
すなわち、このように入力電力Ｗの急峻な増減を繰り返すことで、振動板１２は、その振動の強弱を繰り返すことなる。そして、この振動の変化により生ずる衝撃によって、そのミスト放出面１２ａに形成された液膜ＬＦを吹き飛ばすことができる。
【００５１】
したがって、本実施形態の構成によっても、そのミスト放出面１２ａに形成される液膜ＬＦを除去して、より安定的にミストを放出することができる。また、上記第１の実施形態と同様、新たな部材を追加することなく、その入力電力Ｗの制御を通じて容易に行うことができるという利点がある。そして、入力電力Ｗの増大（Ｗ２＞Ｗ０）を併せて実行することで、より一層顕著な効果を得ることができる。
【００５２】
［第３の実施形態］
以下、本発明を具体化した第３の実施形態について説明する。なお、第１の実施形態と同一の構成については、同一の符号を付して、その説明を省略する。
【００５３】
本実施形態では、液膜除去モードは、振動板１２を膜振動させて液体を霧化するための径方向振動（図５参照）とは異なる形態の振動を圧電振動子１３に発生させることにより行われる。
【００５４】
すなわち、円環板状に形成された圧電振動子１３には、上記のような径方向の拡縮振動の他、その周波数の違いにより、厚み方向振動や撓み振動、或いは捻れ振動等、様々な形態の振動が生じうる。また、圧電振動子１３は、薄膜電極１６ａ，１６ｂへの電圧印加により生ずる圧電体１５の歪みに基づいて振動する。したがって、その振動の形態は、圧電振動子１３に対する入力電力の周波数によって自在に制御することができる。
【００５５】
この点を踏まえ、本実施形態のミスト発生装置３は、その液膜除去モードにおいて、その振動板１２を膜振動させる径方向振動とは周波数の異なる振動を圧電振動子１３に発生させる。具体的には、図１０に示すように、振動板１２を膜振動させる霧化用の振動λ１（例えば、１００ＫＨｚ）に水膜除去用の振動λ２（例えば、４ＭＨｚ）を重畳する。なお、本実施形態では、この水膜除去用の振動λ２の形態は、厚み方向振動となっている。そして、その異なる形態の振動を振動板１２に伝達することにより、ミスト放出面１２ａに形成された液膜ＬＦを除去する構成になっている。
【００５６】
以上、本実施形態の構成によっても、そのミスト放出面１２ａに形成される液膜ＬＦを除去して、より安定的にミストを放出することができる。また、液体を霧化する振動に液膜ＬＦを除去する振動を重畳することで、液膜除去モード中も、ミストを放出することができる。そして、上記第１及び第２の実施形態と同様、新たな部材を追加することなく、その入力電力の制御を通じて容易に行うことができるという利点がある。
【００５７】
［第４の実施形態］
以下、本発明を具体化した第４の実施形態について説明する。なお、第１の実施形態と同一の構成については、同一の符号を付して、その説明を省略する。
【００５８】
図１１に示すように、本実施形態のミスト発生装置３は、振動板１２及び圧電振動子１３に加え、バイブレータ３１を備えている。このように、本実施形態の振動発生手段は、圧電振動子１３及びバイブレータ３１により構成されている。なお、圧電振動子１３と同様、バイブレータ３１もまた、制御回路４（図１参照）により作動が制御されている。そして、本実施形態では、その液膜除去モードは、このバイブレータ３１によって、振動板１２に低周波振動を付与することにより行われる。
【００５９】
すなわち、振動板１２に低周波振動を付与することによっても、そのミスト放出面１２ａに形成された液膜ＬＦを除去することができる。したがって、このような構成としても、そのミスト放出面１２ａに形成される液膜ＬＦを除去して、より安定的にミストを放出することができる。
【００６０】
なお、上記各実施形態は以下のように変更してもよい。
・上記各実施形態では、本発明をミスト発生装置３が内蔵された携帯型の美容装置１に具体化した。しかし、これに限らず、本発明は、据え置き型の美容装置、或いは美容装置以外に用いられるミスト発生装置に適用してもよい。
【００６１】
・上記各実施形態では、ミスト発生装置３は、円環板状に形成された圧電振動子１３の孔部１４を覆うように円板状の振動板１２を貼り合わせることにより形成されることとした。しかし、圧電振動子及び振動板の形状、並びに両者の接触面形状は、必ずしもこれに限るものではない。例えば、筒状の圧電振動子や矩形状の振動板を用いてもよく、また、圧電振動子が複数の孔を有するものであってもよい。ただし、効率良く振動板を膜振動させる観点では、上記各実施形態に示される圧電振動子及び振動板の形状が好ましい。
【００６２】
・上記各実施形態では、液膜除去モードは、始動時に行われることとした。しかし、これに限らず、始動時以外にも実行な構成とするとよい。例えば、ハウジング２に開始スイッチを設ける。そして、任意のタイミングで液膜除去モードを行うことができるようにすることで、使用者の利便性を高めることができる。
【００６３】
特に、携帯型の美容装置１では、放出口５が様々な方向に傾けられることで、その使用中であっても、振動板１２に液膜ＬＦが形成される可能性がある。したがって、このような場合に液膜除去モードを実行可能とすることで、その利便性を大幅に向上させることができる。そして、常に安定したミストで施術を行うことが可能となることで、その使用感を向上させるができる。
【００６４】
・上記第１の実施形態では、振動エネルギーの増大は、圧電振動子１３に対する入力電力Ｗを増大させることにより行われることとした。しかし、これに限らず、例えば、第３の実施形態におけるバイブレータ３１のような追加の構成を用いて、その振動エネルギーを増大させるものであってもよい。
【００６５】
・上記第２の実施形態では、圧電振動子１３に対する入力電力Ｗをピーク値Ｗ２まで急増大させた後、その値を「０」にすることを繰り返すこととした。しかし、これに限らず、図１２に示すように、入力電力Ｗをピーク値Ｗ３まで急増大させた後、その値を当該ピーク値Ｗ３よりも低い値Ｗ４にすることを繰り返す構成であってもよい。なお、この例では、その値Ｗ４は、通常モードの値Ｗ０よりも高い値となっているが、通常モードの値Ｗ０よりも低い値に設定してもよい。そして、これにより、入力電力Ｗの増減幅を抑えることで、その圧電振動子１３の負荷を軽減し、信頼性の向上を図ることができる。
【００６６】
・また、上記第２の実施形態では、その入力電力Ｗの急峻な増減と併せて、入力電力Ｗの増大（Ｗ２＞Ｗ０）を実行することとした。しかし、これに限らず、図１３に示すように、その増減のピーク値を通常モードの値Ｗ０に抑え、入力電力Ｗの増大を行わない構成であってもよい。このような構成としても、その振動の強弱により生ずる衝撃を利用して、一定の液膜除去効果を得ることができる。
【００６７】
・上記第３の実施形態では、振動板１２を膜振動させて液体を霧化するための径方向振動（λ１）とは異なる形態の振動として、厚み方向振動（λ２）を圧電振動子１３に発生させることとした。しかし、これに限らず、その液膜除去モードにおいて発生させる振動の形態は、撓み振動や捻れ振動等、その他のものであってもよい。
【００６８】
・また、上記第３の実施形態では、水膜除去用の振動λ２（４ＭＨｚ）は、振動板１２を膜振動させる霧化用の振動λ１（１００ＫＨｚ）よりも高い周波数を有するものとした。しかし、これに限らず、霧化用の振動λ１よりも周波数の低い振動を水膜除去に用いる構成であってもよい。
【００６９】
・さらに、上記第３の実施形態では、霧化用の振動λ１に水膜除去用の振動λ２を重畳することとした。しかし、これに限らず、液膜除去モードにおいては、圧電振動子１３に水膜除去用の振動λ２のみを発生させる。そして、液膜除去モードの実行後、通常モードとして霧化用の振動λ１を発生させる構成でもよい。
【００７０】
・液膜除去モードの態様として上記各実施形態に示された内容、すなわち「振動エネルギーの増大」「入力電力の増大」「入力電力の急峻な増減」「異なる振動の付与」は、任意に組み合わせて実行してもよい。
【００７１】
次に、以上の実施形態から把握することのできる技術的思想を効果とともに記載する。
（イ）前記液膜除去モードの実行後、前記入力電力を徐々に低減する移行モードを備えることが望ましい。これにより、スムーズに通常モードへと移行することができる。
【符号の説明】
【００７２】
１…美容装置、３…ミスト発生装置、１０…微細孔、１１…霧化部、１２…振動板、１２ａ…ミスト放出面、１２ｂ…液体供給面、１３…圧電振動子、１３ａ…放出側平面、１３ｂ…供給側平面、１４…孔部、１５…圧電体、１６ａ，１６ｂ…薄膜電極、２２…ノズルパッキン、２４…貫通孔、２５…突部、２７…タンクパッキン、２９…タンク、３０…無電極部、３１…バイブレータ、Ｌ…液体、ＬＦ…液膜、Ｍ…ミスト、Ｗ…入力電力、Ｗ０，Ｗ１，Ｗ４…値、Ｗ２，Ｗ３…ピーク値、λ１，λ２…振動。
【図１】
0005405533.tif 000002
【図２】
0005405533.tif 000003
【図３】
0005405533.tif 000004
【図４】
0005405533.tif 000005
【図５】
0005405533.tif 000006
【図６】
0005405533.tif 000007
【図７】
0005405533.tif 000008
【図８】
0005405533.tif 000009
【図９】
0005405533.tif 000010
【図１０】
0005405533.tif 000011
【図１１】
0005405533.tif 000012
【図１２】
0005405533.tif 000013
【図１３】
0005405533.tif 000014